(57)【要約】【課題】補強連結部を取り付けることにより、独立した囲壁を補強し、開口縁部の配線等の引っ掛かり箇所を削減することができるレバー式コネクタを提供する。【解決手段】カムピン２１を有する雌側コネクタ２０と、この雌側コネクタ２０が嵌合するフード部３１を有する雄側コネクタ３０と、雄側コネクタ３０に装着されると共にカム溝を有し回転可能にすることによりカム溝によってカムピン２１を雌側コネクタ２０の嵌合方向に駆動させるレバー４０と、フード部３１に形成されたカムピン２１を受け入れる逃がし溝３２と、フード部３１に設けられた係合溝３３と、レバー４０に形成されたレバー４０の回転を規制する弾性レバーロック部４４と、レバー４０の回転規制を解除するロック解除リブ２２と、フード部３１のうち係合溝３３又は逃がし溝３２の開口縁部間を橋絡する補強連結部３６とを備えるレバー式コネクタ。【選択図】図１
2011023128.tif 000002
【特許請求の範囲】
【請求項１】
第一のコネクタと、この第一のコネクタが嵌合するフード部を有する第二のコネクタと、前記第一のコネクタに突設したカムピンと、前記第二のコネクタに装着されると共に前記カムピンに係合するカム溝を有し前記第二のコネクタに対して相対的に変位することにより前記カム溝によって前記カムピンを前記第一のコネクタの嵌合方向に駆動するレバーと、前記第二のコネクタの前記フード部に形成され前記第一のコネクタの嵌合に伴って引き込まれる前記カムピンを受け入れる逃がし溝と、前記逃がし溝の隣に並行して前記フード部に設けられた係合溝と、前記レバーに形成され前記係合溝に係合して前記レバーの変位を規制する弾性係合片と、前記第一のコネクタに突設され前記第一のコネクタの嵌合に伴って前記係合溝に進入して前記弾性係合片と前記係合溝との係合を解除する係合解除突部と、前記フード部のうち前記係合溝又は前記逃がし溝の開口縁部間に設けられ前記係合解除突部又は前記カムピンの通過を許容する空洞部を有して前記開口縁部間を橋絡する補強連結部とを備えるレバー式コネクタ。
【請求項２】
前記レバーは、前記第二のコネクタに設けられた支軸に対して回転可能に装着されていることを特徴とする請求項１記載のレバー式コネクタ。
【請求項３】
前記弾性係合片は、前記レバーが待機位置にあって前記カム溝が前記カムピンを受入可能な状態であるときに前記係合溝に係合し、前記レバーには前記待機位置にあるときに前記補強連結部側に突出して前記補強連結部との間の隙間を狭める空隙充填突部が設けられていることを特徴とする請求項１又は請求項２記載のレバー式コネクタ。
【発明の詳細な説明】
【技術分野】
【０００１】
本発明は、レバー式コネクタに関する。
【背景技術】
【０００２】
レバー式コネクタは、一方のコネクタにカム溝を有するレバーをフード部に装着すると共に、他方のコネクタにはカムピンが形成してあり、両コネクタを接近させてカムピンをカム溝に進入させた後、レバーを回動操作することによって、カム作用により両コネクタをさらに接近させて正規嵌合状態にできるようになっている。
【０００３】
両コネクタの嵌合操作を行う場合、予めレバーをカムピンがカム溝に進入可能な待機位置にセットしておくことは嵌合操作をより円滑にすることができ、作業上好ましい。
【０００４】
このための構成として、特許文献１には弾性係合片を係合溝に係合させてレバーをカムピンがカム溝に進入可能な待機位置に保持させ、両コネクタを接近させることでカムピンをカム溝に進入させると共に、係合解除部が弾性係合片を押圧して係合部との係合状態を解除すると共に、カムピンをカム溝に進入させた後、レバーを回動操作することによって正規嵌合状態にするレバー式コネクタが記載されている。
【先行技術文献】
【特許文献】
【０００５】
【特許文献１】特開２００４−３１９１２６号公報
【発明の概要】
【発明が解決しようとする課題】
【０００６】
ところで、上記従来のこのコネクタの一方にはカムピンを有するコネクタを挿入する角筒状の囲壁により形成されたフード部が設けられ、そのフード部の囲壁にはカムピンがレバーのカム溝に進入する為に切り欠いた逃がし溝が形成され、その逃がし溝に並行して弾性係合片が進入する係合溝が形成されている。
【０００７】
フード部の囲壁に溝が複数存在する場合、溝と溝との間に位置する独立した囲壁は厚みが薄く幅が狭い等の理由から部品の強度が弱くなり、配線等が引っ掛かることによりフード部を破損させるといった状態に至らしめることが懸念される。
【課題を解決するための手段】
【０００８】
上記の目的を達成するための手段として本発明は第一のコネクタと、この第一のコネクタが嵌合するフード部を有する第二のコネクタと、前記第一のコネクタに突設したカムピンと、前記第二のコネクタに装着されると共に前記カムピンに係合するカム溝を有し前記第二のコネクタに対して相対的に変位することにより前記カム溝によって前記カムピンを前記第一のコネクタの嵌合方向に駆動するレバーと、前記第二のコネクタの前記フード部に形成され前記第一のコネクタの嵌合に伴って引き込まれる前記カムピンを受け入れる逃がし溝と、前記逃がし溝の隣に並行して前記フード部に設けられた係合溝と、前記レバーに形成され前記係合溝に係合して前記レバーの変位を規制する弾性係合片と、前記第一のコネクタに突設され前記第一のコネクタの嵌合に伴って前記係合溝に進入して前記弾性係合片と前記係合溝との係合を解除する係合解除突部と、前記フード部のうち前記係合溝又は前記逃がし溝の開口縁部間に設けられ前記係合解除突部又は前記カムピンの通過を許容する空洞部を有して前記開口縁部間を橋絡する補強連結部とを備えるところに特徴を有する。
【０００９】
このような構成のレバー式コネクタによると、溝と溝との間に位置する厚みが薄く幅が狭い強度の弱い独立した囲壁を補強連結部により補強すると共に、前記開口縁部の配線等の引っ掛かり箇所を削減することで独立した囲壁の破損を防ぐことができる。
【００１０】
本発明の実施の態様として、以下の構成が望ましい。
【００１１】
前記レバーは、前記第二のコネクタに設けられた支軸に対して回転可能に装着されていることが望ましい。
【００１２】
このような構成によるとスライド式のレバーに比べてレバーを回動させるときに、てこの原理を利用することにより、小さな力で相手側コネクタと嵌合することが可能である。
【００１３】
前記弾性係合片は、前記レバーが待機位置にあって前記カム溝が前記カムピンを受入可能な状態であるときに前記係合溝に係合し、前記レバーには前記待機位置にあるときに前記補強連結部側に突出して前記補強連結部との間の隙間を狭める空隙充填突部が設けられていることが望ましい。
【００１４】
このような構成によると、隙間に対して搬送時等に発生する電線等の異物の挟み込みを防止することができる。
【発明の効果】
【００１５】
本発明によれば、補強連結部を取り付けることにより、溝と溝との間に位置する強度の弱い独立した囲壁を補強し、開口縁部の配線等の引っ掛かり箇所を削減することができる。
【図面の簡単な説明】
【００１６】
【図１】一実施形態における雌雄コネクタの嵌合前状態を示した側面図
【図２】雄側コネクタの斜視図
【図３】雄側コネクタの正面図
【図４】雄側コネクタのレバー装着前状態を示した係合溝部分の拡大図
【発明を実施するための形態】
【００１７】
以下、本発明をレバー式の分割コネクタに適用した一実施形態について図面を参照して説明する。
【００１８】
雌側コネクタ２０の周壁部の両側面には、図１で示すように、側面の略中央部に嵌合方向に延びた断面長円形を成す一対のカムピン２１が突設されている。カムピン２１に隣接した位置には雌側コネクタ２０の嵌合面から少し後退した位置から後端面にかけて直線的に延びる一対の係合解除突部に相当するロック解除リブ２２が形成されている。
【００１９】
一方、雄側コネクタ３０は、図２に示すように嵌合方向に突出した略方形の角筒状の囲壁で形成されたフード部３１を有する。フード部３１には前方開口縁からコネクタ挿入方向にフード部３１の略中央まで切欠いたカムピン２１を受け入れる逃がし溝３２と逃がし溝３２に隣接して前方開口縁からコネクタ挿入方向にフード部の略中央部まで切欠いたロック解除リブ２２を受け入れる係合溝３３とが形成されている。
【００２０】
雌側コネクタ２０を雄側コネクタ３０のフード部３１内に嵌合するとカムピン２１が逃がし溝３２に挿入されると共に、ロック解除リブ２２が係合溝３３に挿入されつつ、雌側コネクタ２０が雄側コネクタ３０のフード部３１に案内される。
【００２１】
フード部３１の両側面には逃がし溝３２の後方側にレバー４０を支持する一対の支持軸３４が突設されている。
【００２２】
レバー４０は、全体としては門型を成しており、左右一対の向かい合った板状のアーム部４１と両アーム部４１を連結する操作部４２とから構成され、レバー４０は両アーム部４１の略中央部に形成された軸受孔(図示せず)とフード部３１の支持軸３４とを嵌合させることで雄側コネクタ３０に組み付けられている。
【００２３】
アーム部４１の内壁面にはフード部３１の逃がし溝３３と一致する位置にカムピン２１が進入する開口縁から真っ直ぐに後端面に向かって延びる入口溝４３と、アーム部４１の軸受孔に沿った弧状のカム溝とが形成されている。
【００２４】
レバー４０は入口溝４３がカムピン２１の進入を可能にする位置（以下、「待機位置」という）」と、カムピン２１がカム溝の最終位置に達して両コネクタの嵌合が完了した位置（以下、「嵌合完了位置」という）との間で回動可能であり、レバーが嵌合完了位置まで回動されると、レバー４０の操作部４２は雌側コネクタ２０の後方面に突出して形成されているレバー係止部２３によって係止される。
【００２５】
レバー４０のアーム部４１には、レバー４０が前記待機位置にあるときに図１に示すように係合溝３３と一致する位置で嵌合方向に延びる弾性係合片に相当する弾性レバーロック部４４が形成されている。この弾性レバーロック部４４はレバー４０が待機位置にあるときに係合溝３３内に僅かに進入することでレバー４０をその位置に回動規制する。
【００２６】
雌側コネクタ２０を雄側コネクタ３０のフード部３１に挿入すると、雌側コネクタ２０のロック解除リブ２２が係合溝３３に進入し、引き続いて弾性レバーロック部４４を係合溝３３内から押出すことでレバー４０の回動規制が解除される。
【００２７】
さて、本実施形態では、上述したようにフード部３１に逃がし溝３２と係合溝３３との二本の溝を形成したことから、両溝３２，３３間にフード部３１の一部を構成する中間壁３８が矩形舌片状に周囲から切り離された状態となっている。そこで、本実施形態では、図２乃至図４に示すように、フード部３１の開口縁部に補強連結部３６を形成してある。補強連結部３６は、中間壁３８と、係合溝３３を挟んで中間壁３８の反対側に位置する角壁３５との間を連結しており、雌側コネクタ２０のロック解除リブ２２が通過できる空洞部３７を有する（図３参照）。また、補強連結部３６の側面形状は図１に示す通りで、待機位置にあるレバー４０のアーム部４１の外周縁に沿うように中間壁３８から角壁３５側へ行くに従い徐々に太くなるように形成されている。
【００２８】
更に、レバー４０が前記待機位置にあるときにはレバー４０のアーム部４１には補強連結部３６とアーム部４１のうち補強連結部３６付近の肩部との間に位置する隙間を狭める空隙充填突部に相当する隙間埋４５が形成されている。
【００２９】
本実施形態によれば、雄型コネクタ３０のフード部３１の中間壁３８は補強連結部３６によって角壁３５と連結されているから、切り離されている場合に比べて撓み変形が制限され、異物が不用意に当たった場合でも、損傷を防止することができる。また、係合溝３３の開口縁部は補強連結部３６によって塞がれた状態になるから、係合溝３３の開口部に電線等が引っ掛かることを防止することができる。もちろん、補強連結部３６によって中間壁３８と角壁３５とが連結されていても、補強連結部３６には空洞部３７が形成されているから、ロック解除リブ２２が係合溝３３に進入する際に補強連結部３６が邪魔になることはない。
【００３０】
また、特に本実施形態では、補強連結部３６を形成することにより形成される補強連結部３６とアーム部４１の肩部に位置する隙間には隙間埋４５を形成しているから、搬送時等に発生する電線等の異物の挟み込みを確実に防止することができる。
【００３１】
以上のことから、強度の弱い独立した囲壁の破損やアーム部と補強連結部との間に形成された隙間への電線等の挟み込みによるコネクタ同士の絡み原因を軽減することができる。
【００３２】
＜他の実施形態＞
本発明は上記記述及び図面によって説明した実施形態に限定されるものではなく、例えば次のような実施形態も本発明の技術的範囲に含まれる。
【００３３】
（１）本実施形態では、係合溝３３の開口縁部に補強連結部３６を形成する構成としたが、本発明は、逃がし溝３２の開口縁部を跨ぐように補強連結部を形成する構成としてもよいし、逃がし溝３２及び係合溝３３の開口縁部の双方を跨ぐように２つの補強連結部を形成する構成としてもよい。
【００３４】
（２）本実施形態では、回転レバー式コネクタによる構成としたが、これに限らず、スライドレバー式コネクタによる構成としてもよい。
【００３５】
（３）本実施形態では、レバー４０のアーム部４１の肩部に隙間埋４５を形成する構成としたが、これに限らず、アーム部４１の肩部の外周縁に沿って補強連結部３６に隙間埋を形成してもよい。
【符号の説明】
【００３６】
２０…雌側コネクタ
２１…カムピン
２２…ロック解除リブ
３０…雄側コネクタ
３１…フード部
３２…逃がし溝
３３…係合溝
３４…支持軸
３５…角壁
３６…補強連結部
３７…空洞部
３８…中間壁
４０…レバー
４４…弾性レバーロック部
４５…隙間埋
【図１】
2011023128.tif 000003
【図２】
2011023128.tif 000004
【図３】
2011023128.tif 000005
【図４】
2011023128.tif 000006